(57)【要約】      （修正有）【課題】乗場と昇降路底部との間を昇降するとき、大掛りな装置を設置することなく安全な昇降を可能にするエレベータ昇降路底部の昇降方法を提供する。【解決手段】ベルトの左右に命綱を取付けた作業者４が、最下階乗場２と昇降路底部１との間を梯子３により昇降する方法において、作業者４が最下階の乗場ドア７を開放するとともに、最上部の踏段に左右一方のフック５ｂ，６ｂを装着する第１の手順と、乗場ドア７を閉扉する第２の手順と、最上部の踏段より下方で手が届く位置の踏段に他方のフック５ｂ，６ｂを装着する第３の手順と、先に装着したフック５b，６bのいずれかを外し、他方のフック５ｂ，６ｂを取外し可能な位置まで梯子３を降りる第４の手順と、昇降路底部１に着地するまで第３の手順及び第４の手順を繰り返し行ない、到着するとフック５ｂ，６ｂを取り外す第５の手順を行うものである。【選択図】図１
2013023382.tif 000002
【特許請求の範囲】
【請求項１】
一端に設けた固着部にてベルトに取付けられ、他端に着脱自在に係止可能なフックを設けた所定長のロープで構成される命綱と、この命綱をベルトの左右に装着したエレベータの機器を保全する作業者が、エレベータの最下階乗場と昇降路底部に立設される梯子を下降するエレベータ昇降路底部への下降方法において、
前記作業者が前記最下階の乗場ドアを開放するとともに、前記梯子の最上部の踏段に左右一方の命綱のフックを装着する第１の手順と、
前記作業者が前記最下階の乗場ドアを閉扉可能な位置まで降り、前記最下階の乗場ドアを閉扉する第２の手順と、
前記左右一方の命綱のフックを取り外し可能な限界位置近傍まで降りて行き、前記最上部の踏段より下方に位置し、手が届く範囲の踏段に左右他方の命綱のフックを装着する第３の手順と、
前記左右一方の命綱のフックを外した後、前記左右他方の命綱のフックを取り外し可能な限界位置近傍まで前記梯子を降りる第４の手順と、
前記昇降路底部の床に着地できるまで前記第３の手順及び前記第４の手順を繰り返し行うとともに、前記昇降路底部の床に到着すると前記左右の命綱のフックを取り外す第５の手順と
で構成したことを特徴とするエレベータ昇降路底部への下降方法。
【請求項２】
一端に設けた固着部にてベルトに取付けられ、他端に着脱自在に係止可能なフックを設けた所定長のロープで構成される命綱と、この命綱をベルトの左右に装着したエレベータの機器を保全する作業者が、エレベータの最下階乗場と昇降路底部に立設される梯子を上昇するエレベータ昇降路底部からの上昇方法において、
前記昇降路底部から手が届く範囲の踏段に前記左右一方の命綱のフックを装着する第６の手順と、
前記梯子を昇って行き、前記左右一方の命綱のフックを取り外し可能な位置で、手が届く範囲の上方の前記踏段に前記左右他方の命綱のフックを装着する第７の手順と、
前記左右一方の命綱のフックを外した後、前記左右他方の命綱のフックを取り外し可能な限界位置近傍まで前記梯子を昇る第８の手順と、
前記最下階の乗場ドアを開放可能な位置まで前記第７の手順及び前記第８の手順を繰り返し行うとともに、前記梯子の最上部の踏段に左右いずれかの命綱のフックを装着し、前記最下階の乗場ドアを開放する第９の手順と、
前記最下階の乗場に着地し、前記左右いずれかの命綱のフックを取り外すとともに、前記最下階の乗場ドアを閉扉する第１０の手順と
で構成したことを特徴とするエレベータ昇降路底部からの上昇方法。
【発明の詳細な説明】
【技術分野】
【０００１】
本発明は、エレベータ昇降路底部の昇降方法に関する。
【背景技術】
【０００２】
エレベータ昇降路内の底部への昇降は、昇降路底部から乗場近傍まで梯子が設置されているが、梯子を昇降する際、足を踏み外せば昇降路底部へ転落して怪我をする危険性があるため、上端を固着した親綱を梯子の隣接位置に垂下させ、この親綱に楔作用で下方の移動を阻止する落下防止金具を係合させ、この落下防止金具に梯子を昇降する作業者のベルトに装着した命綱を取付けるものが提案されている（特許文献1参照）。
【先行技術文献】
【特許文献】
【０００３】
【特許文献１】特開２００１−１４６３７２号公報（段落０００７〜段落００１５、図１〜図３）
【発明の概要】
【発明が解決しようとする課題】
【０００４】
上記技術は、梯子の隣に親綱を垂下させ、この親綱に落下防止金具を係合させるもので、作業者の安全は確保できるが、昇降路底部から乗場近傍までの２メートル程度の梯子に適応させるには大掛りな装置であり、全てのエレベータにそれぞれ設置すると費用が掛かるという問題があった。
【０００５】
本発明の目的は、乗場と昇降路底部を昇降するとき、大掛りな装置を設置することなく安全な昇降を可能にするエレベータ昇降路底部の昇降方法を提供することにある。
【課題を解決するための手段】
【０００６】
上記目的を達成するために、一端に設けた固着部にてベルトに取付けられ、他端に着脱自在に係止可能なフックを設けた所定長のロープで構成される命綱と、この命綱をベルトの左右に装着したエレベータの機器を保全する作業者が、エレベータの最下階乗場と昇降路底部に立設される梯子を昇降するエレベータ昇降路底部の昇降方法において、エレベータ昇降路底部への下降方法は、前記作業者が前記最下階の乗場ドアを開放するとともに、前記梯子の最上部の踏段に左右一方の命綱のフックを装着する第１の手順と、前記作業者が前記最下階の乗場ドアを閉扉可能な位置まで降り、前記最下階の乗場ドアを閉扉する第２の手順と、前記左右一方の命綱のフックを取り外し可能な限界位置近傍まで降りて行き、前記最上部の踏段より下方に位置し、手が届く範囲の踏段に左右他方の命綱のフックを装着する第３の手順と、前記左右一方の命綱のフックを外した後、前記左右他方の命綱のフックを取り外し可能な限界位置近傍まで前記梯子を降りる第４の手順と、前記昇降路底部の床に着地できるまで前記第３の手順及び前記第４の手順を繰り返し行うとともに、前記昇降路底部の床に到着すると前記左右の命綱のフックを取り外す第５の手順とを行うようにしたものである。
【０００７】
また、エレベータ昇降路底部からの上昇方法は、前記昇降路底部から手が届く範囲の前記踏段に前記左右一方の命綱のフックを装着する第６の手順と、前記梯子を昇って行き、前記左右一方の命綱のフックを取り外し可能な位置で、手が届く範囲の上方の前記踏段に前記左右他方の命綱のフックを装着する第７の手順と、前記左右一方の命綱のフックを外した後、前記左右他方の命綱のフックを取り外し可能な限界位置近傍まで前記梯子を昇る第８の手順と、前記最下階の乗場ドアを開放可能な位置まで前記第７の手順及び前記第８の手順を繰り返し行うとともに、前記梯子の最上部の踏段に左右いずれかの命綱のフックを装着し、前記最下階の乗場ドアを開放する第９の手順と、前記最下階の乗場に着地し、前記左右いずれかの命綱のフックを取り外すとともに、前記最下階の乗場ドアを閉扉する第１０の手順とを行うようにしたものである。
【発明の効果】
【０００８】
本発明によれば、作業者は、ベルトの左右に付けた２個の命綱を両方同時に外すことなく梯子の昇降を行えるようにしたので、昇降路底部への転落を防止でき、梯子を昇降するときの安全を確保できる。
【図面の簡単な説明】
【０００９】
【図１】本発明のエレベータ昇降路底部の昇降方法の手順の一例を示す図である。
【図２】エレベータ昇降路底部の昇降を行う作業者の背面を示す図である。
【図３】エレベータ昇降路底部と最下階乗場間に設けられる梯子を含む昇降路底部の要部斜視図である。
【発明を実施するための形態】
【００１０】
以下、本発明の一実施形態を図１〜図３を用いて説明する。
【００１１】
図１は本発明のエレベータ昇降路底部の昇降方法の手順の一例を示す図で、図２はエレベータ昇降路底部の昇降を行う作業者の背面を示す図で、図３はエレベータ昇降路底部と最下階乗場間に設けられる梯子を含む昇降路底部の要部斜視図である。
【００１２】
図において、エレベータの昇降路底部１と最下階乗場２の問に立設される梯子３は、左右一対の柱３ａと柱３ｂ間を連結する踏段３ｃが所定の間隔で複数個設けられており、踏段３ｃの左右にはドーナツ状の金具３ｄが図示しないボルトとナットによって左右段違いに締結されている。
【００１３】
また、エレベータの保守作業を行う作業者４のベルト４ａの左右には、左用命綱５、右用命綱６が装着され、これらの左用命綱５、右用命綱６は、所定長のロープ５a，６ａの一端部が作業者４のベルト４ａの左右にそれぞれ取付けられるとともに、ロープ５ａ，６ａの他端に係止可能なフック５ｂ、６ｂを備えている。
【００１４】
次に、ベルト４ａの左右に左用命綱５，右用命綱６を取付けた作業者４が、昇降路底部１と最下階乗場２の梯子３を用いた昇降方法の説明を行う。
【００１５】
最初に、最下階乗場２から昇降路底部１への降り方の説明を行う。
【００１６】
まず、作業者４は、最下階乗場２の乗場ドア７の正面に立ち（図1（イ））、乗場ドア７を開放するとともに、梯子３の最上部に位置する踏段３ｃに設けられる金具３ｄに着用命綱６のフック６ｂを装着する（図１（ロ）、第1の手順）。
【００１７】
次に、作業者４は、乗場ドア７を開放状態に保って身体の向きを１８０度変えて、梯子３の踏段３ｃを降りて行き、乗場ドア７が閉扉可能な位置となると、乗場ドア７を閉扉する（図1（ハ）、第２の手順）。
【００１８】
次に、梯子３の踏段３ｃを降りている作業者４は、フック６ｂを取り外すことのできる限界位置まで降りると（図1（ニ））、フック６ｂを装着した金具３ｄより下方に位置する踏段３ｃに設けられる金具３ｄへ、左用命綱５のフック５ｂを装着する（図1（ホ））。ここで、図１（ニ）と図１（ホ）で第３の手順を示す。
【００１９】
次に、作業者４は、フック６ｂを取り外した後（図１（へ））、フック５ｂを取り外すことのできる限界位置まで降りる（図１（ト））。ここで、図１（へ）と図１（ト）で第４の手順を示す。
【００２０】
次に、作業者４は、昇降路底部１に着地できるまで第３の手順（図１（ニ）（ホ））及び第４の手順（図１（へ）（ト））を繰り返し行って、昇降路底部１に到着すると（図１（ト））、フック５ｂ，６ｂを取り外して昇降路底部１での作業を行う（図１（チ）、第５の手順）。
【００２１】
次に、昇降路底部１から最下階乗場２への昇り方の説明は、上述した降り方の逆の説明を行えば良いので、図１の（チ）〜（イ）の説明を行う。
【００２２】
まず、作業者４は、昇降路底部１に設けられる梯子３の正面に立ち（図１（チ））、手が届く範囲の上方に設けられる踏段３ｂの金具３ｄに左用命綱５のフック５ｂを装着する（図１（ト）、第６の手順）。
【００２３】
次に、梯子３の踏段３ｃを昇る作業者4は、フック５ｂを取り外すことのできる限界位置近傍まで昇ると（図１（へ））、フック５ｂを装着した金具３ｄより上方に位置する踏段３ｃに設けられる金具３ｄへ、右用命綱６のフック６ｂを装着する（図１（ホ））。ここで、図１（へ）と図１（ホ）で第７の手順を示す。
【００２４】
次に、作業者４は、フック５ｂを外した後、フック６ｂを取り外し可能な限界位置近傍まで梯子３を昇る（図１（ニ）、第８の手順）。
【００２５】
次に、作業者４は、乗場ドア７を開放可能な位置まで第７の手順（図１（へ）（ホ））及び前記第８の手順（図１（ニ））を繰り返し行って、梯子３の最上部の踏段３ｃにフック５ｂ，６ｂのいずれかを装着し、乗場ドア７を開放する（図１（ニ）、第９の手順）。
【００２６】
次に、作業者４は、最下階乗場２へ着地し、フック５ｂ，６ｂのいずれかを取り外すとともに（図１（ロ））、乗場ドア７を閉扉し（図１（イ））、昇降路底部１から最下階乗場２への移動が完了する。ここで、図１（ロ）と図１（イ）で第１０の手順を示す。
【００２７】
このように、作業者４が最下階乗場２と昇降路底部１へ梯子３を使っての昇降を行うとき、ベルト４ａに装着される左用命綱５及び右用命綱６のフック５ｂ，６ｂの少なくとも一方が必ず踏段３ｃに設けられる金具３ｄへ装着されるので、作業者４は踏段３の昇降時に昇降路底部１へ落下することはない。
【００２８】
本実施形態では、フック５ｂ、６ｂを．踏段３ｃに設けられる金具３ｄへ装着する説明を行ったが、フック５ｂ、６ｂを踏段３ｃに装着しても良く、この場合も前述と同様の効果が得られる。
【符号の説明】
【００２９】
１      昇降路底部
２      最下階乗場
３      梯子
３ｃ  踏段
３ｄ  金具
４      作業者
５      左用命綱
５ａ，５ｂ，６ａ，６ｂ    フック
６      右用命綱
７      乗場ドア
【図１】
2013023382.tif 000003
【図２】
2013023382.tif 000004
【図３】
2013023382.tif 000005